(57)【要約】【課題】着用時に長手方向前後縁部が使用者の身体に密着し、違和感がなく、モレにつながる隙間が形成されないため、不安感を使用者に与えることがなく、更に、使用時に防漏性を高めることができる吸収性物品を提供すること。【解決手段】トップシート２、バックシート３及び両シート２，３間に介在された吸収体４を有する吸収性物品であって、トップシート２及びバックシート３は、吸収体４の長手方向前後縁部４１からそれぞれ延出し、トップシート２及びバックシート３の長手方向前後縁部２１，３１において互いに接合されてエンドフラップＦ１を形成しており、エンドフラップＦ１におけるトップシート２とバックシート３との間には、吸収体４に近接して、吸収体４の厚みｔ４の１／２以上の厚みｔ７を有するスペーサー７が配設されている。【選択図】図２
2007000381.tif 000002
【特許請求の範囲】
【請求項１】
トップシート、バックシート及び両シート間に介在された吸収体を有する吸収性物品であって、
前記トップシート及び前記バックシートは、前記吸収体の長手方向前後縁部からそれぞれ延出し、該トップシート及び該バックシートの長手方向前後縁部において互いに接合されてエンドフラップを形成しており、
前記エンドフラップにおける前記トップシートと前記バックシートとの間には、前記吸収体に近接して、該吸収体の厚みの１／２以上の厚みを有するスペーサーが配設されている吸収性物品。
【請求項２】
前記スペーサーの厚みは、前記吸収体の厚みと実質的に同じであり、
前記エンドフラップにおける前記トップシートと前記吸収体上の前記トップシートとの間には段差がない請求項１記載の吸収性物品。
【請求項３】
前記スペーサーは、前記吸収体における前記バックシート側の面において、該吸収体の長手方向に渡って連結されている請求項１記載の吸収性物品。
【請求項４】
前記エンドフラップにおける前記トップシートと前記吸収体上の前記トップシートとの間には段差がない請求項３記載の吸収性物品。
【請求項５】
前記トップシート及び前記バックシートは、前記吸収体の幅方向両側縁部からそれぞれ延出し、該トップシート及び該バックシートの幅方向両側縁部において互いに接合されてサイドフラップを形成しており、
前記サイドフラップにおける前記トップシートと前記バックシートとの間には、前記吸収体に近接して、該吸収体の厚みの１／２以上の厚みを有するスペーサーが配設されている請求項１〜４の何れかに記載の吸収性物品。
【請求項６】
前記エンドフラップにおける前記スペーサーと前記サイドフラップにおける前記スペーサーとは、一体的に構成されている請求項５記載の吸収性物品。
【発明の詳細な説明】
【技術分野】
【０００１】
本発明は、生理用ナプキン、パンティライナー、おりものシート、失禁パッド等の吸収性物品に関する。
【背景技術】
【０００２】
特許文献１には、トップシート、バックシート及び両シート間に介在された吸収体を有し、トップシート及びバックシートが、吸収体の長手方向前後縁部からそれぞれ延出し、トップシート及びバックシートの長手方向前後縁部においてエンドシール部により互いに接合されてなる生理用ナプキンが開示されている。
【０００３】
【特許文献１】特開昭６１−１７６３４５号公報
【発明の開示】
【発明が解決しようとする課題】
【０００４】
特許文献１の第３図には、トップシートがエンドシール部と吸収体上とで段差がないように図示されているが、実際には、トップシートは吸収体により上方に圧縮され、エンドシール部におけるトップシートは吸収体上のトップシートよりも低くなっており、両者間には段差が生じている。
そのため、特許文献１記載の生理用ナプキンでは、着用時にその長手方向前後縁部が使用者の身体に密着せず、それに起因する違和感や不安感を使用者に与えやすい。また、使用時の防漏性についても高められている訳ではない。
【０００５】
従って、本発明の目的は、着用時に長手方向前後縁部が使用者の身体に密着し、違和感がなく、モレにつながる隙間が形成されないため、不安感を使用者に与えることがなく、更に、使用時に防漏性を高めることができる吸収性物品を提供することにある。
【課題を解決するための手段】
【０００６】
本発明は、トップシート、バックシート及び両シート間に介在された吸収体を有する吸収性物品であって、前記トップシート及び前記バックシートは、前記吸収体の長手方向前後縁部からそれぞれ延出し、該トップシート及び該バックシートの長手方向前後縁部において互いに接合されてエンドフラップを形成しており、前記エンドフラップにおける前記トップシートと前記バックシートとの間には、前記吸収体に近接して、該吸収体の厚みの１／２以上の厚みを有するスペーサーが配設されている吸収性物品を提供することにより、上記目的を達成したものである。
【発明の効果】
【０００７】
本発明の吸収性物品によれば、着用時に長手方向前後縁部が使用者の身体に密着し、違和感がなく、モレにつながる隙間が形成されないため、不安感を使用者に与えることがない。また、使用時に防漏性を高めることができる。
【発明を実施するための最良の形態】
【０００８】
以下、本発明の吸収性物品を、その好ましい一実施形態である生理用ナプキンについて図面を参照しながら説明する。
本実施形態の生理用ナプキン１は、図１及び図２に示すように、トップシート２、バックシート３及び両シート２，３間に介在された吸収体４を有している。トップシート２及びバックシート３は、吸収体４の長手方向前後縁部４１からそれぞれ延出し、トップシート２及びバックシート３の長手方向前後縁部２１，３１において互いに接合されてエンドフラップＦ１が形成されている。
【０００９】
エンドフラップＦ１におけるトップシート２とバックシート３との間には、吸収体４に近接して、吸収体４の厚みｔ４の１／２以上の厚みｔ７を有するスペーサー７が配設されている
尚、以下の説明において、「長手方向」及び「幅方向」というときは、それぞれ「吸収性物品の長手方向」及び「吸収性物品の幅方向」を意味する。「上面」及び「下面」というときは、それぞれ「肌当接面（側の面）」及び「非肌当接面（側の面）」を意味する。
【００１０】
更に詳述すると、本実施形態の生理用ナプキン１は、図１及び図２に示すように、液透過性のトップシート２、液保持性の吸収体４及び液不透過性のバックシート３を備えている。吸収体４は、トップシート２とバックシート３との間に介在されている。
トップシート２及びバックシート３は、平面視で同形で、それぞれ長手方向前後縁部２１，３１が半円形状で、幅方向両側縁部が幅方向内方に向けて湾曲した形状となっており、吸収体４よりも長さ及び幅が大きくなっている。
【００１１】
トップシート２は、吸収体４の上面全域を被覆しており、バックシート３は、吸収体４の下面全域を被覆している。トップシート２及びバックシート３は、平面視で吸収体４の長手方向前後縁部４１及び幅方向両側縁部から延出している。トップシート２の上面には、幅方向両側縁部から吸収体４の幅方向両側縁部上に亘って、サイド防漏壁を形成する一対のサイド防漏部材５が設けられている。
【００１２】
吸収体４の周縁部外方には、その全周に渡り吸収体４に近接して、吸収体４の厚みｔ４の１／２以上の厚みｔ７を有するスペーサー７が配設されている。詳述すると、吸収体４の長手方向前後縁部４１から延出したトップシート２の長手方向前後縁部２１と、バックシート３の長手方向前後縁部３１との間には、スペーサー７の長手方向前後方部７１が配設されている。吸収体４の幅方向両側縁部から延出したトップシート２の幅方向両側縁部と、バックシート３の幅方向両側縁部との間には、スペーサー７の幅方向両側方部７２が配設されている。
スペーサー７は、その長手方向前後方部７１と幅方向両側方部７２とが連結されて、吸収体４の周縁部に沿う環状となっている。スペーサー７の周縁部の形状は、トップシート２の周縁部の形状及びバックシート３の周縁部の形状と同じとなっている。
【００１３】
「吸収体４に近接して」とは、「巨視的に視て吸収体４の近くに配置して」いることを意味しており、具体的には、スペーサー７と吸収体４との間隔が０〜５ｍｍ、好ましくは０〜３ｍｍであることを意味する。
スペーサー７は、吸収体４の厚みｔ４の１／２以上の厚みｔ７を有しており、スペーサー７の厚みｔ７は、好ましくは該厚みｔ４の０．７〜１．５倍、更に好ましくは１〜１．２倍である。吸収体４の厚みｔ４及びスペーサー７の厚みｔ７は、好ましくはそれぞれの隣接する位置で計測する。
【００１４】
吸収体４の長手方向前後縁部４１から延出したトップシート２の長手方向前後縁部２１及びバックシート３の長手方向前後縁部３１と、スペーサー７の長手方向前後方部７１とは、半円弧状のエンドシールＳ１により互いに接合されて、エンドフラップＦ１を形成している。
吸収体４の幅方向両側縁部から延出したトップシート２の幅方向両側縁部及びバックシート３の幅方向両側縁部と、スペーサー７の幅方向両側方部７２とは、サイド防漏部材５と共に、幅方向内方に向けて湾曲したサイドシール部Ｓ２により接合されて、サイドフラップＦ２を形成している。
従って、スペーサー７は、エンドフラップＦ１における長手方向前後方部７１と、サイドフラップＦ２における幅方向両側方部７２とが一体的に構成されている。
【００１５】
一対のサイド防漏部材５，５の間の領域の長手方向中央部においては、トップシート２及び吸収体４が、陸上トラック状の中央シール部Ｓ３により接合されている。
サイド防漏部材５の長手方向前後縁部は、長手方向に延びる防漏壁シール部Ｓ４によりトップシート２に接合されている。防漏壁シール部Ｓ４の存在しないサイド防漏部材５の長手方向中央部には、幅方向内方に開口したポケットが形成される。
バックシート３の下面には、下着止着用の粘着部（図示せず）が設けられている。
【００１６】
本実施形態においては、スペーサー７の厚みｔ７は、吸収体４の厚みｔ４と実質的に同じである。「実質的に同じである」とは、スペーサー７の厚みｔ７が吸収体４の厚みｔ４の０．９〜１．１倍であることを意味する。このように両厚みｔ７，ｔ４の関係が規定されて、エンドフラップＦ１におけるトップシート２と吸収体４上のトップシート２との間には段差がない状態になっている。「段差がない」とは、「巨視的にみてトップシート２の上面が面一」であることを意味する。
【００１７】
エンドフラップＦ１の構造（吸収性物品の長手方向の構造）は、サイドフラップＦ２の構造（吸収性物品の幅方向の構造）にも採用されている。
例えば、サイドフラップＦ２におけるトップシート２とバックシート３との間には、吸収体４に近接して、スペーサー７の幅方向両側方部７２が配設されており、サイドフラップＦ２におけるトップシート２と吸収体４上のトップシート２との間には段差がない状態になっている。
【００１８】
トップシート２としては、特に制限はないが、例えば、図３に示すように、上面側の第１繊維層６１と下面側の第２繊維層６２とからなり、第１繊維層６１と第２繊維層６２とが部分的に熱融着されて熱融着部（接合部）６３が形成されており、第１繊維層６１は、熱融着部６３以外の部位において、圧縮弾性を有する多数の凸部６４を形成している凹凸シートが挙げられる。
【００１９】
前記凹凸シートは、繊維集合体からなる第１繊維層６１及び第２繊維層６２を、熱エンボスにより所定のパターンで部分的に熱融着させた後、第２繊維層６２を水平方向に熱収縮させて得られる。
より詳細に説明すると、熱エンボスによる熱融着は、例えば、多数のエンボスピンが規則的に配設されたエンボス面（エンボスロールの周面等）を、第１繊維層６１と第２繊維層６２との積層体の第１繊維層６１側に圧接させ、各ピンに熱圧された部位における、第１繊維層６１及び／又は第２繊維層６２の構成繊維を溶融させて行われる。第２繊維層６２の熱収縮は、例えば、第２繊維層６２を熱収縮性繊維から構成するか又は第２繊維層６２中に熱収縮性繊維を含ませておき、第１繊維層６１と第２繊維層６２とを熱融着させると同時、或いは両者を熱融着させた後に、第２繊維層６２を加熱処理することにより行われる。多数の凸部６４は、第２繊維層６２を水平方向に熱収縮させることにより、第１繊維層６１の熱融着部６３以外の部位が凸形に変形して生じたものである。
【００２０】
多数の熱融着部６３は、図３に示すように、散点状且つ千鳥状に規則的に形成されており、熱融着部６３同士間の距離はほぼ一定である。
各凸部６４は、それぞれドーム状をなしており、その内部は第１繊維層６１を構成する繊維で満たされている。また、各凸部６４が形成された部分における第１繊維層６１と第２繊維層６２との界面は接合されていないが密着した状態とされている。
【００２１】
第１繊維層６１の構成繊維は、実質的に熱収縮性を有しないか、又は後述する第２繊維層６２の構成繊維の熱収縮温度以下で熱収縮しないものであることが好ましい。
【００２２】
第２繊維層６２の構成繊維としては、熱可塑性ポリマー材料からなり且つ熱収縮性を有するものが好適である。また、該構成繊維は、収縮後にもエラストマー的挙動を示すものであることが好ましい。そのような繊維の例としては、潜在捲縮性繊維が挙げられる。第２繊維層６２中の潜在捲縮性繊維の含有割合は４０〜１００重量％であることが好ましい。潜在捲縮性繊維は、加熱される前は、従来の不織布用の繊維と同様に取り扱うことができ、且つ所定温度での加熱によって螺旋状の捲縮が発現して収縮する性質を有する繊維である。潜在捲縮性繊維を用いることで、熱収縮性とエラストマー的挙動の両者を同時に発現させることができる。
【００２３】
潜在捲縮性繊維は、例えば収縮率の異なる２種類の熱可塑性ポリマー材料を成分とする偏心芯鞘型又はサイド・バイ・サイド型の複合繊維からなる。その例としては、特開平９−２９６３２５号公報や特許第２７５９３３１号明細書に記載のものが挙げられる。第２繊維層６２は、例えば、このような潜在捲縮性繊維を含ませておき、第１繊維層６１との熱融着と同時又はその後に、加熱により該繊維の捲縮を発現させ、収縮させる。
【００２４】
バックシート３としては特に制限はなく、本実施形態においては防漏性のフィルムシートが用いられている。吸収体４は、公知のものが用いられ、例えば、パルプ繊維を堆積させて得られた積繊層、パルプ繊維を原料とする不織布からなるものが用いられている。サイド防漏部材５としては、不織布やフィルムシート、紙等が挙げられ、防漏性の観点から液不透過性又は難透過性である疎水性不織布、防漏性のフィルムシート等が好ましく用いられ、本実施形態においては疎水性不織布が用いられている。
【００２５】
スペーサー７としては特に制限はなく、吸収体４よりも柔らかい材料又は固い材料を用いることができる。吸収体４よりも柔らかい材料としては、例えば、カーディング法やエアスルー法によりウエブ化され、エアスルー法により処理された不織布、ニードルパンチ法により処理された不織布、ウレタンやゴム系樹脂による発砲シートが挙げられる。また、吸収体４よりも固い材料としては、例えば、ポリエチレン樹脂系の発泡シート、ゴム系樹脂シートが挙げられる。
【００２６】
本実施形態の生理用ナプキン１によれば、着用時に長手方向前後縁部が使用者の身体に密着する。その結果、違和感や不安感、例えば、長手方向前後縁部が身体に密着していないことに起因する長手方向前後縁部からの漏れに対する違和感や不安感を使用者に与えることがない。
【００２７】
また、吸収体４とは別材料のスペーサー７が吸収体４の周囲に配されているため、圧力が加わったり、短時間で多量の体液を受け止める等の要因により、吸収体４の側部から体液が溢れた場合でも、スペーサー７によって体液を押し留め、モレを防止することができる。このような効果は、特にスペーサー７が疎水性とされている場合に高くなる。また、吸収体４の周囲に配された（環状とされた）スペーサー７によって、ヨレ防止効果を発現する。
【００２８】
次に、別の実施形態について説明する。第１実施形態と同様の構成については同じ符号を付し、説明を省略する。特に説明にしない点については第１実施形態についての説明が適宜適用される。
【００２９】
第２実施形態の生理用ナプキン１は、図４に示すように、第１実施形態に比して、スペーサー７の形状が異なる。詳述すると、第２実施形態におけるスペーサー７は、トップシート２及びバックシート３と同様の平面形状を有しており、吸収体４の周縁部外方にその全周に渡り吸収体４に近接して、吸収体４の厚みｔ４以上の厚みｔ７０を有する長手方向前後方部７１及び幅方向両側方部７２が環状に形成されている。
吸収体４の下面側（バックシート３側）には、スペーサー７における環状の長手方向前後方部７１及び幅方向両側方部７２の内方領域全域に渡って連結凹部７３が形成されている。即ち、スペーサー７は、吸収体４におけるバックシート３側の面において、吸収体４の長手方向及び幅方向に渡って連結されている。
【００３０】
スペーサー７における連結凹部７３の厚みｔ７１と吸収体４の厚みｔ４との和（ｔ７１＋ｔ４）と、スペーサー７における長手方向前後方部７１及び幅方向両側方部７２のｔ７０とは実質的に同じとなっている。そのため、エンドフラップＦ１におけるトップシート２と吸収体４上のトップシート２との間には段差がない状態になっている。
このように、第２実施形態におけるスペーサー７は、第１実施形態における環状のスペーサー７（長手方向前後方部７１及び幅方向両側方部７２）の厚みを厚くすると共に（ｔ７→ｔ７０）、長手方向前後方部７１及び幅方向両側方部７２の内方領域全域に渡って厚みｔ７１の連結凹部７３が設けられた形状を有している。
【００３１】
第２実施形態の生理用ナプキン１の一製造方法について図５を参照しながら説明する。
まず、長尺状のバックシート３の上面（トップシート２側の面）に、ホットメルト系接着剤（図示せず）を塗工する。次に、その上に、長尺状のスペーサー７を載置する（［Ａ］段階）。次いで、長尺状のスペーサー７について連結凹部７３となる領域（［Ａ］段階における破線部分）を圧縮加工し、その領域の厚みを薄くして、連結凹部７３を形成する（［Ｂ］段階）。その後、スペーサー７の連結凹部７３に、吸収体４を載置する（［Ｃ］段階）。次いで、吸収体４の載置された連結凹部７３を塞ぐように、長尺状のスペーサー７の上に長尺状のトップシート２を合流させる（［Ｄ］段階）。
【００３２】
次に、エンドフラップＦ１及びサイドフラップＦ２となる領域にそれぞれエンドシール部Ｓ１及びサイドシール部Ｓ２を形成する（［Ｅ］段階）。次いで、長尺状のバックシート３、スペーサー７及びトップシート２を所定形状に切断する（［Ｆ］段階）。所定形状に切断されたスペーサー７における連結凹部７３以外の領域が、長手方向前後方部７１及び幅方向両側方部７２となる。そして、エンドフラップＦ１及びサイドシール部Ｓ２におけるトップシート２と吸収体４上のトップシート２とは段差がない状態となる。更に所定の接合、切断等を行い、第２実施形態の生理用ナプキン１を完成させることができる。
【００３３】
第２実施形態の生理用ナプキン１においては、第１実施形態と同様の効果が奏される。また、スペーサー７の平面形状がトップシート２及びバックシート３と同様の平面形状を有しており、吸収体４の下面側にスペーサー７の連結凹部７３が設けられている。従って、生理用ナプキン１を平面視したときに、その全体に亘ってスペーサー７が配設されているため、換言すると、吸収体４の周縁部外方及び下面側全域にスペーサー７が配設されているため、生理用ナプキン１のヨレ防止の効果をより一層高めることができる。
【００３４】
次に、第３実施形態について説明する。第３実施形態の生理用ナプキン１は、図６に示すように、第１実施形態に比して、スペーサー７の形状が異なる。詳述すると、第３実施形態におけるスペーサー７は、エンドシール部Ｓ１のみに配設されており、サイドシール部Ｓ２には配設されていない。即ち、第１実施形態に比して、スペーサー７は、環状の平面形状とはなっておらず、幅方向両側方部７２がなく、長手方向前後方部７１のみから構成されている。
【００３５】
第３実施形態におけるスペーサー７は、第１実施形態に比して、更に厚みも異なる。即ち、スペーサー７の厚みｔ７は、吸収体４の厚みｔ４のほぼ１／２、具体的には該厚みｔ４の０．５〜０．６倍となっている。そのため、第１実施形態及び第２実施形態とは異なり、エンドフラップＦ１におけるトップシート２と吸収体４上のトップシート２との間には若干の段差ができているが、スペーサー７がない形態に比して、着用時に長手方向前後縁部が使用者の身体に密着するという効果は、十分に奏される。また、生理用ナプキン１の側部領域に弾性部材を配置し、側部の防漏効果を高める場合にも、弾性部材の伸縮機能を損なわず、側部の防漏構造を立体的に構成しやすく、その前後端部における固定部ではスペーサー７による弾性機能の発現を抑えるという利点を有する（弾性部材等については図示せず）。
【００３６】
第３実施形態の生理用ナプキン１の一製造方法について図７を参照しながら説明する。
まず、肌当接面が下向きにされた長尺状のトップシート２の上面（バックシート３側の面）に、ホットメルト系接着剤（図示せず）を塗工する。次に、その上に、２個のスペーサー７を形成し得るブロック７４を所定間隔をあけて載置する（［Ａ］段階）。このブロック７４は、その前後縁部７５が、吸収体４の長手方向前後縁部４１の形状に沿う形状を有している。次いで、隣接するスペーサー７のブロック７４間に、吸収体４を載置する（［Ｂ］段階）。その後、隣接するスペーサー７のブロック７４間の吸収体４を塞ぐように長尺状のバックシート３を合流させる（［Ｃ］段階）。
【００３７】
次に、エンドフラップＦ１及びサイドフラップＦ２となる領域にそれぞれエンドシール部Ｓ１及びサイドシール部Ｓ２を形成する（［Ｄ］段階）。次いで、長尺状のバックシート３、スペーサー７及びトップシート２を所定形状に切断する（［Ｅ］段階）。所定形状に２つに切断されたスペーサー７は、それぞれ隣接する生理用ナプキン１におけるスペーサー７の長手方向前後方部７１となる。そして、エンドフラップＦ１におけるトップシート２と吸収体４上のトップシート２とは段差が少ない（スペーサー７がない場合に比してほぼ１／２）状態となる。更に所定の接合、切断等を行い、第３実施形態の生理用ナプキン１を完成させることができる。
【００３８】
第３実施形態の生理用ナプキン１においては、第１実施形態と同様の効果が奏される。また、スペーサー７が環状ではなく、エンドフラップＦ１のみに配設されているため、前述した生理用ナプキン１の側部領域に弾性部材を配置して、立体的な防漏構造を形成し易くなっている。また、スペーサー７の厚みｔ７が吸収体４の厚みｔ４のほぼ１／２となっているため、生理用ナプキンにおける段差感の解消だけでなく、下着と生理用ナプキンとの間の段差感の解消する効果を有する。
【００３９】
本発明の吸収性物品は、前記実施形態に制限されることなく、本発明の趣旨を逸脱しない限り、適宜変更が可能である。
本発明の吸収性物品は、生理用ナプキン以外に、パンティライナー、おりものシート、失禁パッド等にも適用することができる。
スペーサー７の平面形状は、第１実施形態のように、環状とすることができ、第２実施形態のように、吸収体４の下面側に連結凹部７３を備えた形状とすることもできる。また、スペーサー７は、第３実施形態のように、エンドフラップＦ１に長手方向前後方部７１のみが配設された形状とすることができる。
【００４０】
スペーサー７の厚みは、第３実施形態のように、吸収体４の厚みｔ４のほぼ１／２とすることもでき、第１実施形態のように、該厚みｔ４と実質的に同じ厚みとすることもできる。また、スペーサー７の厚みは、第２実施形態のように、吸収体４の周縁部外方と吸収体４の下面側とで異ならせることができ（ｔ７０＞ｔ７１）、吸収体４の周縁部外方における厚みｔ７０を吸収体４の厚みｔ４よりも大きくすることもできる。
このように、前述の第１実施形態〜第３実施形態における各構成を適宜組み合わせることができる。
【００４１】
また、スペーサー７の厚みｔ７は均一である必要はなく、吸収体４と隣接する部位の高さを上述した形態になせばよく、吸収性物品の端部に向けて漸次厚みを薄くすることも、吸収性物品と下着との境界を着用者に認識させないようにする点から好ましい。なお、この場合の端部におけるスペーサー７の厚みｔ７は、吸収体４の厚みｔ４の１／６〜１／４であることが好ましい。
【図面の簡単な説明】
【００４２】
【図１】図１は、本発明の吸収性物品の第１実施形態の生理用ナプキンを示す平面図である。
【図２】図２（ａ）は、第１実施形態の生理用ナプキンについて模式的に吸収体及びスペーサーのみを示す平面図、図２（ｂ）は、図１に示すII−II断面図である。
【図３】図３は、第１実施形態の生理用ナプキンにおけるトップシートを示す図で、（ａ）は縦断面斜視図、（ｂ）は（ａ）に示すＢ−Ｂ断面図である。
【図４】図４は、本発明の吸収性物品の第２実施形態の生理用ナプキンにおけるエンドフラップ近傍を示す縦断面図〔図２（ｂ）相当図〕である。
【図５】図５は、第２実施形態の生理用ナプキンの一製造方法を示す平面図である。
【図６】図６（ａ）は、本発明の吸収性物品の第３実施形態の生理用ナプキンについて模式的に吸収体及びスペーサーのみを示す正面図〔図２（ａ）相当図〕、図６（ｂ）は、図６（ａ）に示すＢ−Ｂ断面図〔トップシート及びバックシートも図示、図２（ｂ）相当図〕である。
【図７】図７は、第３実施形態の生理用ナプキンの一製造方法を示す平面図（図５相当図）である。
【符号の説明】
【００４３】
１  生理用ナプキン（吸収性物品）
２  トップシート
２１，３１，４１  長手方向前後縁部
３  バックシート
４  吸収体
５  サイド防漏部材
７  スペーサー
７１  長手方向前後方部
７２  幅方向両側方部
７３  連結凹部
Ｆ１  エンドフラップ
Ｆ２  サイドフラップ
Ｓ１  エンドシール部
Ｓ２  サイドシール部
【図１】
2007000381.tif 000003
【図２】
2007000381.tif 000004
【図３】
2007000381.tif 000005
【図４】
2007000381.tif 000006
【図５】
2007000381.tif 000007
【図６】
2007000381.tif 000008
【図７】
2007000381.tif 000009